(57)【要約】【課題】発電装置が発電する電力を有効に利用する。【解決手段】直流給電システムは、商用電源系統からの交流電力を直流電力に変換し、変換した直流電力を、直流供給線を介して負荷装置に供給する整流装置と、電力を発電し、発電した電力を直流電力として出力する発電装置と、発電装置が出力する第１の出力電圧を第２の出力電圧に変換し、変換した第２の出力電圧を直流供給線に出力する変換器と、発電装置が出力する直流電力を、変換器をバイパスさせて直流供給線に供給するスイッチ部と、第１の出力電圧を検出する第１電圧検出部と、スイッチ部の開閉状態を少なくとも制御する給電制御装置とを備え、給電制御装置は、第１電圧検出部によって検出された第１の出力電圧が、所定の電圧範囲内にある場合に、スイッチ部に対して、発電装置が出力する直流電力を、変換器をバイパスさせて直流供給線に供給させる制御を行うバイパス制御部を備える。【選択図】図１
2015164377.tif 000002
【特許請求の範囲】
【請求項１】
商用電源系統からの交流電力を直流電力に変換し、変換した直流電力を、直流供給線を介して負荷装置に供給する整流装置と、
電力を発電し、発電した当該電力を直流電力として出力する発電装置と、
前記発電装置が出力する第１の出力電圧を予め定められた第２の出力電圧に変換し、変換した前記第２の出力電圧を前記直流供給線に出力する変換器と、
前記発電装置の出力線と前記直流供給線との間に接続され、前記発電装置が出力する前記直流電力を、前記変換器をバイパスさせて前記直流供給線に供給するスイッチ部と、
前記発電装置が出力する前記第１の出力電圧を検出する第１電圧検出部と、
前記スイッチ部の開閉状態を少なくとも制御する給電制御装置と
を備え、
前記給電制御装置は、
前記第１電圧検出部によって検出された前記第１の出力電圧が、所定の電圧範囲内にある場合に、前記スイッチ部に対して、前記発電装置が出力する前記直流電力を、前記変換器をバイパスさせて前記直流供給線に供給させる制御を行うバイパス制御部を備える
ことを特徴とする直流給電システム。
【請求項２】
前記発電装置は、自然エネルギーを利用して発電し、
前記バイパス制御部は、
前記発電装置が設置されている場所の気象を予測した気象情報を取得し、取得した前記気象情報と、前記第１の出力電圧が前記所定の電圧範囲内にあるか否かの判定結果とに基づいて、前記スイッチ部に対して、前記発電装置が出力する前記直流電力を、前記変換器をバイパスさせて前記直流供給線に供給させる制御を行う
ことを特徴とする請求項１に記載の直流給電システム。
【請求項３】
前記バイパス制御部は、
前記気象情報に基づいて推定される前記発電装置の発電量が、所定の発電量以下である場合、且つ、前記第１の出力電圧が前記所定の電圧範囲内にある場合に、前記スイッチ部に対して、前記発電装置が出力する前記直流電力を、前記変換器をバイパスさせて前記直流供給線に供給させる
ことを特徴とする請求項２に記載の直流給電システム。
【請求項４】
前記バイパス制御部は、
前記整流装置から前記直流供給線への給電が停止した場合、且つ、前記第１の出力電圧が前記所定の電圧範囲内にある場合に、前記スイッチ部に対して、前記発電装置が出力する前記直流電力を、前記変換器をバイパスさせて前記直流供給線に供給させる
ことを特徴とする請求項１から請求項３のいずれか一項に記載の直流給電システム。
【請求項５】
前記直流供給線の電圧を検出する第２電圧検出部を備え、
前記変換器は、前記整流装置から前記直流供給線への給電が停止した場合に、前記第２の出力電圧の出力を停止し、
前記給電制御装置は、
前記第２電圧検出部によって検出された前記直流供給線の電圧に基づいて、前記整流装置から前記直流供給線への給電が停止したか否かを判定する
ことを特徴とする請求項４に記載の直流給電システム。
【請求項６】
前記給電制御装置は、
前記変換器が前記第２の出力電圧の出力を停止した停止状態になり、前記変換器から電力を出力させることを可能にする動作電圧が前記直流供給線から当該変換器に供給されない場合に、当該変換器に動作電圧を供給して当該変換器を起動させる起動部
を備えることを特徴とする請求項５に記載の直流給電システム。
【請求項７】
前記所定の電圧範囲は、前記第２の出力電圧を含む電圧範囲であって、前記直流供給線を介して前記直流電力が供給される前記負荷装置の動作電圧範囲に基づいて定められた電圧範囲であり、
前記バイパス制御部は、
前記第１の出力電圧が前記所定の電圧範囲の下限値よりも高い第１の閾値以上、且つ、前記所定の電圧範囲の上限値よりも低い第２の閾値以下になった場合に、前記スイッチ部に対して前記変換器をバイパスさせる制御を行い、
前記第１の出力電圧が前記下限値以下、又は、前記上限値以上になった場合に、前記スイッチ部に対して前記変換器のバイパスを停止させる制御を行う
ことを特徴とする請求項１から請求項６のいずれか一項に記載の直流給電システム。
【請求項８】
電力を充放電する蓄電装置と、
前記直流供給線に接続され、前記直流供給線から供給される電力を前記蓄電装置に充電させるとともに、前記蓄電装置から前記直流供給線に電力を放電させる双方向変換器と
を備えることを特徴とする請求項１から請求項７のいずれか一項に記載の直流給電システム。
【請求項９】
前記バイパス制御部は、
前記スイッチ部に対して、前記発電装置が出力する前記直流電力を、前記変換器をバイパスさせて前記直流供給線に供給させる際に、前記変換器に対して、前記第２の出力電圧の出力を停止させる
ことを特徴とする請求項１から請求項８のいずれか一項に記載の直流給電システム。
【請求項１０】
商用電源系統からの交流電力を直流電力に変換する整流装置によって変換した前記直流電力を、直流供給線を介して負荷装置に供給するとともに、発電した電力を直流電力として出力する発電装置が出力する第１の出力電圧を予め定められた第２の出力電圧に変換する変換器によって変換された前記第２の出力電圧を前記直流供給線に出力する直流給電システムにおける給電制御装置であって、
前記発電装置の出力線と前記直流供給線との間に接続され、前記発電装置が出力する前記直流電力を、前記変換器をバイパスさせて前記直流供給線に供給するスイッチ部の開閉状態を少なくとも制御し、前記発電装置が出力する前記第１の出力電圧を検出する第１電圧検出部によって検出された前記第１の出力電圧が、所定の電圧範囲内にある場合に、前記スイッチ部に対して、前記発電装置が出力する前記直流電力を、前記変換器をバイパスさせて前記直流供給線に供給させる制御を行うバイパス制御部
を備えることを特徴とする給電制御装置。
【請求項１１】
商用電源系統からの交流電力を直流電力に変換する整流装置によって変換した前記直流電力を、直流供給線を介して負荷装置に供給するとともに、発電した電力を直流電力として出力する発電装置が出力する第１の出力電圧を予め定められた第２の出力電圧に変換する変換器によって変換された前記第２の出力電圧を前記直流供給線に出力する直流給電システムにおける給電制御方法であって、
前記発電装置の出力線と前記直流供給線との間に接続され、前記発電装置が出力する前記直流電力を、前記変換器をバイパスさせて前記直流供給線に供給するスイッチ部の開閉状態を、給電制御装置が少なくとも制御する給電制御ステップを含み、
前記給電制御ステップにおいて、前記発電装置が出力する前記第１の出力電圧を検出する第１電圧検出部によって検出された前記第１の出力電圧が、所定の電圧範囲内にある場合に、前記スイッチ部に対して、前記発電装置が出力する前記直流電力を、前記変換器をバイパスさせて前記直流供給線に供給させる制御をバイパス制御部が行う制御ステップを含む
ことを特徴とする給電制御方法。
【発明の詳細な説明】
【技術分野】
【０００１】
本発明は、直流給電システム、給電制御装置、及び給電制御方法に関する。
【背景技術】
【０００２】
商用電源系統からの交流電力を直流電力に変換し、変換した直流電力を負荷装置（電力を消費する装置など）に供給する直流給電システムが知られている。このような直流給電システムでは、交流電力を直流電力に変換する整流装置の出力線（直流供給線）を介して負荷装置に電力を供給するとともに、停電等の異常が発生した際に一時的に電力を供給する蓄電装置が接続されることがある（例えば、特許文献１を参照）。
また、上述のような直流給電システムでは、さらに、太陽光発電装置などの直流電力を出力する発電装置を備え、負荷装置には、商用電源系統と発電装置と蓄電装置とから選択的に電力が供給される場合がある。このような場合には、例えば、特許文献２に記載されているように、発電装置は、ＤＣ／ＤＣコンバータを含むパワーコンディショナ（以下、ＰＣＳということがある）を介して直流供給線に接続されるとともに、蓄電装置は、双方向ＤＣ／ＤＣコンバータを介して直流供給線に接続される。
【先行技術文献】
【特許文献】
【０００３】
【特許文献１】特開２００９−１９５０７９号公報
【特許文献２】特開２０１２−１５２０９３号公報
【発明の概要】
【発明が解決しようとする課題】
【０００４】
しかしながら、上述のような直流給電システムでは、発電装置が発電した電力は、ＤＣ／ＤＣコンバータを含むＰＣＳを介して直流供給線に供給される。この場合、発電装置が発電した電力には、ＤＣ／ＤＣコンバータの変換による損失が生じるため、上述のような直流給電システムでは、発電装置が発電する電力を有効に利用できないことがある。
【０００５】
本発明は、上記問題を解決すべくなされたもので、その目的は、発電装置が発電する電力を有効に利用することができる直流給電システム、給電制御装置、及び給電制御方法を提供することにある。
【課題を解決するための手段】
【０００６】
上記問題を解決するために、本発明の一態様は、商用電源系統からの交流電力を直流電力に変換し、変換した直流電力を、直流供給線を介して負荷装置に供給する整流装置と、電力を発電し、発電した当該電力を直流電力として出力する発電装置と、前記発電装置が出力する第１の出力電圧を予め定められた第２の出力電圧に変換し、変換した前記第２の出力電圧を前記直流供給線に出力する変換器と、前記発電装置の出力線と前記直流供給線との間に接続され、前記発電装置が出力する前記直流電力を、前記変換器をバイパスさせて前記直流供給線に供給するスイッチ部と、前記発電装置が出力する前記第１の出力電圧を検出する第１電圧検出部と、前記スイッチ部の開閉状態を少なくとも制御する給電制御装置とを備え、前記給電制御装置は、前記第１電圧検出部によって検出された前記第１の出力電圧が、所定の電圧範囲内にある場合に、前記スイッチ部に対して、前記発電装置が出力する前記直流電力を、前記変換器をバイパスさせて前記直流供給線に供給させる制御を行うバイパス制御部を備えることを特徴とする直流給電システムである。
【０００７】
また、本発明の一態様は、上記直流給電システムにおいて、前記発電装置は、自然エネルギーを利用して発電し、前記バイパス制御部は、前記発電装置が設置されている場所の気象を予測した気象情報を取得し、取得した前記気象情報と、前記第１の出力電圧が前記所定の電圧範囲内にあるか否かの判定結果とに基づいて、前記スイッチ部に対して、前記発電装置が出力する前記直流電力を、前記変換器をバイパスさせて前記直流供給線に供給させる制御を行うことを特徴とする。
【０００８】
また、本発明の一態様は、上記直流給電システムにおいて、前記バイパス制御部は、前記気象情報に基づいて推定される前記発電装置の発電量が、所定の発電量以下である場合、且つ、前記第１の出力電圧が前記所定の電圧範囲内にある場合に、前記スイッチ部に対して、前記発電装置が出力する前記直流電力を、前記変換器をバイパスさせて前記直流供給線に供給させることを特徴とする。
【０００９】
また、本発明の一態様は、上記直流給電システムにおいて、前記バイパス制御部は、前記整流装置から前記直流供給線への給電が停止した場合、且つ、前記第１の出力電圧が前記所定の電圧範囲内にある場合に、前記スイッチ部に対して、前記発電装置が出力する前記直流電力を、前記変換器をバイパスさせて前記直流供給線に供給させることを特徴とする。
【００１０】
また、本発明の一態様は、上記直流給電システムにおいて、前記直流供給線の電圧を検出する第２電圧検出部を備え、前記変換器は、前記整流装置から前記直流供給線への給電が停止した場合に、前記第２の出力電圧の出力を停止し、前記給電制御装置は、前記第２電圧検出部によって検出された前記直流供給線の電圧に基づいて、前記整流装置から前記直流供給線への給電が停止したことを判定することを特徴とする。
【００１１】
また、本発明の一態様は、上記直流給電システムにおいて、前記給電制御装置は、前記変換器が前記第２の出力電圧の出力を停止した停止状態になり、前記変換器から電力を出力させることを可能にする動作電圧が前記直流供給線から当該変換器に供給されない場合に、当該変換器に動作電圧を供給して当該変換器を起動させる起動部を備えることを特徴とする。
【００１２】
また、本発明の一態様は、上記直流給電システムにおいて、前記所定の電圧範囲は、前記第２の出力電圧を含む電圧範囲であって、前記直流供給線を介して前記直流電力が供給される前記負荷装置の動作電圧範囲に基づいて定められた電圧範囲であり、前記バイパス制御部は、前記第１の出力電圧が前記所定の電圧範囲の下限値よりも高い第１の閾値以上、且つ、前記所定の電圧範囲の上限値よりも低い第２の閾値以下になった場合に、前記スイッチ部に対して前記変換器をバイパスさせる制御を行い、前記第１の出力電圧が前記下限値以下、又は、前記上限値以上になった場合に、前記スイッチ部に対して前記変換器のバイパスを停止させる制御を行うことを特徴とする。
【００１３】
また、本発明の一態様は、上記直流給電システムにおいて、電力を充放電する蓄電装置と、前記直流供給線に接続され、前記直流供給線から供給される電力を前記蓄電装置に充電させるとともに、前記蓄電装置から前記直流供給線に電力を放電させる双方向変換器とを備えることを特徴とする。
【００１４】
また、本発明の一態様は、上記直流給電システムにおいて、前記バイパス制御部は、前記スイッチ部に対して、前記発電装置が出力する前記直流電力を、前記変換器をバイパスさせて前記直流供給線に供給させる際に、前記変換器に対して、前記第２の出力電圧の出力を停止させることを特徴とする。
【００１５】
また、本発明の一態様は、商用電源系統からの交流電力を直流電力に変換する整流装置によって変換した前記直流電力を、直流供給線を介して負荷装置に供給するとともに、発電した電力を直流電力として出力する発電装置が出力する第１の出力電圧を予め定められた第２の出力電圧に変換する変換器によって変換された前記第２の出力電圧を前記直流供給線に出力する直流給電システムにおける給電制御装置であって、前記発電装置の出力線と前記直流供給線との間に接続され、前記発電装置が出力する前記直流電力を、前記変換器をバイパスさせて前記直流供給線に供給するスイッチ部の開閉状態を少なくとも制御し、前記発電装置が出力する前記第１の出力電圧を検出する第１電圧検出部によって検出された前記第１の出力電圧が、所定の電圧範囲内にある場合に、前記スイッチ部に対して、前記発電装置が出力する前記直流電力を、前記変換器をバイパスさせて前記直流供給線に供給させる制御を行うバイパス制御部を備えることを特徴とする給電制御装置である。
【００１６】
また、本発明の一態様は、商用電源系統からの交流電力を直流電力に変換する整流装置によって変換した前記直流電力を、直流供給線を介して負荷装置に供給するとともに、発電した電力を直流電力として出力する発電装置が出力する第１の出力電圧を予め定められた第２の出力電圧に変換する変換器によって変換された前記第２の出力電圧を前記直流供給線に出力する直流給電システムにおける給電制御方法であって、前記発電装置の出力線と前記直流供給線との間に接続され、前記発電装置が出力する前記直流電力を、前記変換器をバイパスさせて前記直流供給線に供給するスイッチ部の開閉状態を、給電制御装置が少なくとも制御する給電制御ステップを含み、前記給電制御ステップにおいて、前記発電装置が出力する前記第１の出力電圧を検出する第１電圧検出部によって検出された前記第１の出力電圧が、所定の電圧範囲内にある場合に、前記スイッチ部に対して、前記発電装置が出力する前記直流電力を、前記変換器をバイパスさせて前記直流供給線に供給させる制御をバイパス制御部が行う制御ステップを含むことを特徴とする給電制御方法である。
【発明の効果】
【００１７】
本発明によれば、発電装置が発電する電力を有効に利用することができる。
【図面の簡単な説明】
【００１８】
【図１】第１の実施形態による直流給電システムの一例を示すブロック図である。
【図２】第１の実施形態におけるバイパス制御の一例を示す図である。
【図３】第１の実施形態におけるバイパス制御手順の一例を示すフローチャートである。
【図４】第２の実施形態におけるバイパス制御手順の一例を示す第１のフローチャートである。
【図５】第２の実施形態におけるバイパス制御手順の一例を示す第２のフローチャートである。
【図６】第３の実施形態におけるバイパス制御手順の一例を示すフローチャートである。
【図７】第４の実施形態におけるバイパス制御手順の一例を示すフローチャートである。
【図８】第５の実施形態による直流給電システムの一例を示すブロック図である。
【図９】第５の実施形態におけるバイパス制御手順の一例を示すフローチャートである。
【発明を実施するための形態】
【００１９】
以下、本発明の一実施形態による直流給電システム、及び給電制御装置について、図面を参照して説明する。
【００２０】
［第１の実施形態］
図１は、本実施形態による直流給電システム１の一例を示すブロック図である。
この図において、直流給電システム１は、整流装置３、太陽光発電装置４、ＰＣＳ（パワーコンディショナ）５、蓄電装置６、双方向ＤＣ／ＤＣコンバータ７、分電盤８、バイパススイッチ部５０、給電制御装置１００、スイッチ部２００（２０１〜２０４）、及び検出部（３０１、３０２）を備えている。
【００２１】
整流装置３（ＲＦ：Rectifier）は、例えば、直流電源装置であり、交流電力源である商用電源系統２からの交流電力を直流電力に変換し、変換した直流電力を直流供給線Ｌ１に出力する。ここで、直流供給線Ｌ１は、例えば、直流３８０Ｖ系統の直流給電母線であり、分電盤８を介して負荷装置９０（例えば、負荷装置９１〜９３）に接続されている。すなわち、整流装置３は、変換した直流電力を直流供給線Ｌ１介して負荷装置９０に供給する。
図１に示す例では、直流供給線Ｌ１は、分電盤８の入力側に接続されており、整流装置３は、分電盤８を介して、直流供給線Ｌ２〜Ｌ６の系統内に配置されたそれぞれの負荷装置９０（９１〜９３）に電力を供給する。なお、負荷装置９１〜９３は、いずれも整流装置３から供給される直流電力によって動作する装置であり、直流給電システム１が備える任意の負荷装置を示す場合、又は特に区別しない場合には、負荷装置９０として説明する。負荷装置９０は、例えば、直流家電、ＬＥＤ照明、パソコンやサーバなどの情報機器等である。
なお、図１において、直流供給線Ｌ１〜Ｌ６は、説明上、１本の供給線として簡略して記載されているが、正極側の給電線と、負極側の供給線とから構成される。
また、整流装置３は、検出部３１、スイッチ部３２、直流電源部３３、及び電源制御部３４を備えている。
【００２２】
検出部３１は、例えば、商用電源系統２から供給される電圧又は電流を検出して、商用電源系統２が停電状態にあるか否かを検出する。なお、商用電源系統２の停電には、商用電源系統２の電力供給が停止している場合の他に、商用電源系統２からの交流電力が商用電源系統２の仕様範囲から外れた場合（異常状態の場合）も含まれる。
スイッチ部３２は、商用電源系統２からの供給線と、直流電源部３３の入力側（一次側）との間に接続される開閉器である。
直流電源部３３は、商用電源系統２からの交流電力を直流電力（例えば、直流３８０Ｖ系統）に変換し、変換した直流電力を直流供給線Ｌ１に出力する。
【００２３】
電源制御部３４は、直流電源部３３を制御するとともに、検出部３１によって商用電源系統２の停電を検出した場合に、直流電源部３３を停止させるとともに、スイッチ部３２を開放状態にして商用電源系統２から整流装置３を解列させる。また、電源制御部３４は、商用電源系統２が停電状態であるか否かを示す信号Ｓｐｆを出力する。
【００２４】
直流供給線Ｌ１には、スイッチ部２０１及びＰＣＳ５を介して太陽光発電装置４が接続されている。また、直流供給線Ｌ１には、双方向ＤＣ／ＤＣコンバータ７を介して蓄電装置６が接続されている。
【００２５】
スイッチ部２０１は、太陽光発電装置４に接続されているＰＣＳ５と、直流供給線Ｌ１との間の接続／開放を行うための開閉器であり、スイッチ部２０１が接続状態にある時にＰＣＳ５を整流装置３の出力に連系可能にする。
スイッチ部２０２〜２０４は、直流供給線Ｌ２〜Ｌ６において電路を開閉するための開閉器である。スイッチ部２０２〜２０４は、例えば、商用電源系統２の停電した場合や、節電要請などにより電力を節約したい場合などに、負荷装置９０（例えば、負荷装置９１〜９３）を選択して電力を供給することを可能とする。
なお、スイッチ部２０１〜２０４は、直流給電システム１が備える任意のスイッチ部を示す場合、又は特に区別しない場合には、スイッチ部２００として説明する。
【００２６】
分電盤８以降の直流供給についてより詳細に説明すると、直流供給線Ｌ１は、分電盤８の入力側に接続され、この分電盤８内の過電流遮断器（不図示）等を用いた分岐回路により、直流供給線Ｌ２と、直流供給線Ｌ５と、に分岐される。そして、直流供給線Ｌ２は、スイッチ部２０２を介して、直流供給線Ｌ３に接続され、この直流供給線Ｌ３には、負荷装置９１が接続される。また、直流供給線Ｌ３から、スイッチ部２０３を介して、直流供給線Ｌ４が分岐され、この直流供給線Ｌ４に、負荷装置９２が接続される。
【００２７】
一方、分電盤８から分岐される直流供給線Ｌ５は、スイッチ部２０４を介して、直流供給線Ｌ６に分岐され、この直流供給線Ｌ６には、負荷装置９３が接続される。
なお、上述のスイッチ部２０２〜２０４は、整流装置３に停電が発生し、その後、バックアップ用の蓄電装置６に蓄積された電荷が不足又は枯渇し、この蓄電装置６からシステム全体として必要な電力の供給ができなくなった場合に、一旦、開（オフ）状態になるものとする。そして、太陽光発電装置４に接続されているＰＣＳ５の起動後に、スイッチ部２０２〜２０４の開閉状態を後述する給電制御装置１００によって制御することにより、給電範囲を順次に拡大することができるようにしている。
【００２８】
蓄電装置６は、例えば、鉛蓄電池やリチウムイオン電池などの電力を充放電する蓄電池である。蓄電装置６は、整流装置３から直流供給線Ｌ１に電力が供給されている通常時には、双方向ＤＣ／ＤＣコンバータ７を介して、整流装置３からの電力が充電（蓄電）される。蓄電装置６は、整流装置３の出力が停止した停電状態にある停電時（以下、「整流装置３の停電時」という）には、蓄えた電力を、双方向ＤＣ／ＤＣコンバータ７を介して、直流供給線Ｌ１に供給する。
【００２９】
双方向ＤＣ／ＤＣコンバータ７（双方向変換器の一例）は、直流供給線Ｌ１に接続され、直流供給線Ｌ１から供給される電力を蓄電装置６に充電させるとともに、蓄電装置６から直流供給線Ｌ１に電力を放電させる双方向の変換器である。
双方向ＤＣ／ＤＣコンバータ７は、通常時における使用電力のピークカットを目的に蓄電装置６の充放電制御を行う。また、双方向ＤＣ／ＤＣコンバータ７は、直流供給線Ｌ１と蓄電装置６とを切り離す（解列）するための開閉器（不図示）を含み、後述する給電制御装置１００による制御に基づいて、蓄電装置６の充放電、及び蓄電装置６の切り離しを制御される。
【００３０】
太陽光発電装置４（発電装置の一例）は、自然エネルギー（例えば、太陽光）を利用して電力を発電し、発電した当該電力を直流電力として出力する。太陽光発電装置４は、太陽電池アレイ４１（太陽電池）を備えており、この太陽電池アレイ４１により太陽光を電気に変換してＰＣＳ５に出力する。なお、太陽光発電装置４は、出力電力の逆流防止のダイオード（不図示）を介して、ＰＣＳ５に直流電力を出力する。
【００３１】
ＰＣＳ５（パワーコンディショナ）は、太陽光発電装置４から出力される出力電圧（第１の電圧）を予め定められた所定の出力電圧（第２の出力電圧）に変換して直流供給線Ｌ１に出力する。なお、予め定められた所定の出力電圧（第２の出力電圧）は、例えば、整流装置３が出力する直流３８０Ｖ系統の電圧である。ＰＣＳ５は、整流装置３が直流供給線Ｌ１に直流電力を供給している通常時には、太陽光発電装置４が発電した電力を直流供給線Ｌ１に供給して、整流装置３から直流供給線Ｌ１に供給される電力量を低減させる。また、ＰＣＳ５は、商用電源系統２が停電するなどの整流装置３の停電時には、例えば、直流供給線Ｌ１への電力の出力を一旦停止し、再起動の所定の条件を満たした場合に、給電制御装置１００による制御に基づいて、再起動される。
なお、ＰＣＳ５を動作させるための電力（動作電圧）は、通常時には、例えば、直流供給線Ｌ１から供給されるものとする。
また、ＰＣＳ５は、ＤＣ／ＤＣコンバータ５１と、ＰＣＳ制御部５２とを備えている。
【００３２】
ＤＣ／ＤＣコンバータ５１（変換器の一例）は、太陽光発電装置４が出力する直流電圧（第１の出力電圧）を上述した予め定められた所定の出力電圧（第２の出力電圧）に変換し、変換した直流電圧（第２の出力電圧）を安定化して直流供給線Ｌ１に出力する。ＤＣ／ＤＣコンバータ５１は、例えば、太陽光発電装置４の出力電圧を昇圧して直流供給線Ｌ１に電力を供給するための昇圧型のコンバータ（変換器）である。
【００３３】
ＰＣＳ制御部５２は、ＰＣＳ５を制御する制御部である。ＰＣＳ制御部５２は、例えば、太陽光発電装置４から最大電力を取り出すために、太陽電池アレイ４１のＩ−Ｖ（電流−電圧）特性において、太陽電池アレイ４１の出力を最大とする動作点（最大電力点）を制御する。また、ＰＣＳ制御部５２は、例えば、直流給電母線となる直流供給線Ｌ１の電圧を検出して、ＤＣ／ＤＣコンバータ５１の出力電圧を調整することにより、直流供給線Ｌ１に対して連系させてＰＣＳ５から出力される電力を給電できるように制御する。また、ＰＣＳ制御部５２は、太陽光発電装置４から出力可能な電力が、「所定値以上の電力であるか否かの情報」を給電制御装置１００に出力する。
【００３４】
検出部３０１（第１電圧検出部の一例）は、太陽光発電装置４が出力する出力電圧（第１の出力電圧）を検出する電圧検出部である。ここで、第１の出力電圧は、ＤＣ／ＤＣコンバータ５１の入力側（一次側）の電圧である。検出部３０１は、検出した太陽光発電装置４の出力電圧（第１の出力電圧）を給電制御装置１００に出力する。なお、検出部３０１は、太陽光発電装置４が出力する出力電圧の他に、出力電流、又は出力電力を検出してもよい。
【００３５】
バイパススイッチ部５０（スイッチ部）は、太陽光発電装置４の出力線（ＤＣ／ＤＣコンバータ５１の入力側）と直流供給線Ｌ１との間に接続され、太陽光発電装置４が出力する直流電力を、ＤＣ／ＤＣコンバータ５１をバイパスさせて直流供給線Ｌ１に供給する。
バイパススイッチ部５０は、例えば、サイリスタやＩＧＢＴ（Insulated Gate Bipolar Transistor）等の半導体スイッチング素子を用いた半導体スイッチを含み、給電制御装置１００から出力される制御信号に基づいて、開閉状態が制御される。
【００３６】
検出部３０２（第２電圧検出部の一例）は、直流供給線Ｌ１の電圧（第２の出力電圧）を検出する電圧検出部である。ここで、第２の出力電圧は、整流装置３又は双方向ＤＣ／ＤＣコンバータ７の出力電圧であり、ＤＣ／ＤＣコンバータ５１の出力側（二次側）の電圧である。検出部３０２は、検出した直流供給線Ｌ１の電圧（第２の出力電圧）を給電制御装置１００に出力する。
【００３７】
給電制御装置１００は、バイパススイッチ部５０の開閉状態を少なくとも制御する制御装置であり、バイパススイッチ部５０の開閉状態の制御の他に、例えば、ＰＣＳ５の再起動制御やスイッチ部２０２〜２０４の開閉状態の制御などを行う。
また、給電制御装置１００は、蓄電池１０１、記憶部１０２、及び制御部１１０を備えている。
【００３８】
蓄電池１０１は、整流装置３から電力を供給される通常時において、例えば、直流供給線Ｌ１から常時充電されている。そして、整流装置３の停電時において、蓄電装置６が電力を出力できない状態でＰＣＳ５を起動させる際に、蓄電池１０１は、給電制御装置壱〇〇の動作電圧を供給するとともに、ＰＣＳ５に動作電圧を供給して、ＰＣＳ５を自立起動させる。なお、蓄電池１０１に代えて、燃料電池やエンジン発電機を使用してＰＣＳ５を自立起動させてもよい。
【００３９】
記憶部１０２は、給電制御装置１００の各種制御に使用する情報を記憶する。記憶部１０２は、例えば、ＰＣＳ５、バイパススイッチ部５０、スイッチ部２０１〜２０４、及び双方向ＤＣ／ＤＣコンバータ７の設定情報や、検出部３０１及び検出部３０２から取得した検出情報などを記憶する。
【００４０】
制御部１１０は、例えば、ＣＰＵ（Central Processing Unit）などを含むプロセッサであり、給電制御装置１００を統括的に制御する。制御部１１０は、起動制御部１１１、バイパス制御部１１２、及び給電制御部１１３を備えている。
【００４１】
起動制御部１１１（起動部の一例）は、整流装置３の停電時に一旦停止したＰＣＳ５を再起動する制御を行う。起動制御部１１１は、例えば、整流装置３及び蓄電装置６の双方から直流供給線Ｌ１に電力の供給ができなくなり、ＰＣＳ５に動作電圧を供給できなくなった場合に、内蔵する蓄電池１０１によりＰＣＳ５に動作電圧を供給してこのＰＣＳ５を自立起動させる。すなわち、起動制御部１１１は、ＤＣ／ＤＣコンバータ５１が停止した停止状態になり、ＤＣ／ＤＣコンバータ５１の動作電圧が直流供給線Ｌ１からＤＣ／ＤＣコンバータ５１に供給されない場合に、ＤＣ／ＤＣコンバータ５１に蓄電池１０１から動作電圧を供給してＤＣ／ＤＣコンバータ５１を起動させる。ここで、ＤＣ／ＤＣコンバータ５１の動作電圧とは、ＤＣ／ＤＣコンバータ５１から直流供給線Ｌに電力を出力させることを可能にする電圧である。なお、起動制御部１１１と蓄電池１０１とを含む構成を起動部としてもよい。
また、起動制御部１１１は、整流装置３から直流供給線Ｌ１への給電が停止した場合に、ＤＣ／ＤＣコンバータ５１による所定の出力電圧（第２の出力電圧）の出力を停止させる。なお、起動制御部１１１は、整流装置３から直流供給線Ｌ１への給電が停止したことを、上述した整流装置３からの信号Ｓｐｆに基づいて、整流装置３から直流供給線Ｌ１への給電が停止したことを判定してもよいし、検出部３０２によって検出された直流供給線Ｌ１の電圧に基づいて、整流装置３から直流供給線Ｌ１への給電が停止したことを判定してもよい。
【００４２】
給電制御部１１３は、制御信号ＣＮＴによりスイッチ部２００（２０１〜２０４）の開閉状態の制御を行うともとに、双方向ＤＣ／ＤＣコンバータ７による蓄電装置６の充放電の制御を行う。すなわち、給電制御部１１３は、直流供給線Ｌ１の電力の供給元（太陽光発電装置４又は蓄電装置６）を制御するとともに、スイッチ部２０２〜２０４を制御することで、給電範囲を制御する。
【００４３】
バイパス制御部１１２は、検出部３０１によって検出された太陽光発電装置４の出力電圧（第１の出力電圧）が、所定の電圧範囲内にある場合に、バイパススイッチ部５０に対して、太陽光発電装置４が出力する直流電力を、ＤＣ／ＤＣコンバータ５１をバイパスさせて直流供給線Ｌ１に供給させる制御を行う。ここで、所定の電圧範囲は、第２の出力電圧を含む電圧範囲であって、直流供給線Ｌ１を介して直流電力が供給される負荷装置９０の動作電圧範囲に基づいて定められた電圧範囲であり、例えば、負荷装置９０の動作電圧範囲の電圧である直流３８０Ｖ±２０Ｖの電圧範囲（３６０Ｖ〜４００Ｖの電圧範囲）である。バイパス制御部１１２は、ＤＣ／ＤＣコンバータ５１をバイパスさせることにより、太陽光発電装置４が出力する直流電力（３６０Ｖ〜４００Ｖの電圧）を直流供給線Ｌ１に供給させる。この場合、所定の電圧範囲は負荷装置９０の動作電圧範囲の電圧であるので、直流給電システム１は、負荷装置９０を正常に動作させることができる。
【００４４】
また、バイパス制御部１１２は、バイパススイッチ部５０に対して、太陽光発電装置４が出力する直流電力を、ＤＣ／ＤＣコンバータ５１をバイパスさせて直流供給線Ｌ１に供給させる際に、ＤＣ／ＤＣコンバータ５１に対して、所定の出力電圧（第２の出力電圧）の出力を停止させる。なお、以下の説明において、バイパススイッチ部５０の開閉状態を制御して、ＤＣ／ＤＣコンバータ５１をバイパスさせるか否かを制御する制御処理を、「バイパス制御」ということがある。
【００４５】
ここで、図２を参照して、バイパス制御部１１２による具体的な制御について説明する。
図２は、本実施形態におけるバイパス制御の一例を示す図である。
この図において、グラフは、本実施形態におけるバイパス制御によるＤＣ／ＤＣコンバータ５１の入力側の電圧（太陽光発電装置４の出力電圧）と、ＤＣ／ＤＣコンバータ５１の出力側の電圧（直流供給線Ｌ１の電圧）との関係を示している。
このグラフにおいて、横軸は、ＤＣ／ＤＣコンバータ５１の入力側の電圧（単位は［Ｖ］）を示し、縦軸は、ＤＣ／ＤＣコンバータ５１の出力側の電圧（単位は［Ｖ］）を示している。
【００４６】
また、この図において、ＤＣ／ＤＣコンバータ５１の入力側における電圧範囲Ｒ２（電圧Ｖｍｉｎから電圧Ｖｍａｘまでの範囲）が、上述した所定の電圧範囲を示し、電圧範囲Ｒ１及び電圧範囲Ｒ３は、所定の電圧範囲外を示している。また、実線で示される波形Ｗ１は、ＤＣ／ＤＣコンバータ５１の入力側の電圧が上昇している場合のＤＣ／ＤＣコンバータ５１の出力側の電圧波形を示し、破線で示される波形Ｗ２は、ＤＣ／ＤＣコンバータ５１の入力側の電圧が低下（下降）している場合のＤＣ／ＤＣコンバータ５１の出力側の電圧波形を示している。なお、この図に示す例では、ＤＣ／ＤＣコンバータ５１が出力する所定の出力電圧は、３８０Ｖである場合を示している。
【００４７】
図２に示すように、バイパス制御部１１２は、ＤＣ／ＤＣコンバータ５１の入力側の電圧（第１の出力電圧）が所定の電圧範囲Ｒ２の下限値（Ｖｍｉｎ）よりも高い第１の閾値（Ｖｔｈ１）以上、且つ、所定の電圧範囲Ｒ２の上限値（Ｖｍａｘ）よりも低い第２の閾値（Ｖｔｈ２）以下になった場合に、バイパススイッチ部５０に対してＤＣ／ＤＣコンバータ５１をバイパスさせる制御を行う。また、バイパス制御部１１２は、ＤＣ／ＤＣコンバータ５１の入力側の電圧（第１の出力電圧）が下限値（Ｖｍｉｎ）以下、又は、上限値（Ｖｍａｘ）以上になった場合に、バイパススイッチ部５０に対してＤＣ／ＤＣコンバータ５１のバイパスを停止させる制御を行う。
なお、所定の電圧範囲Ｒ２の下限値（Ｖｍｉｎ）及び上限値（Ｖｍａｘ）と、第１の閾値（Ｖｔｈ１）と、第２の閾値（Ｖｔｈ２）とは、設定情報として、記憶部１０２に予め記憶されているものとする。
【００４８】
具体的に、例えば、バイパス制御部１１２は、太陽光発電装置４の出力電圧が上昇し、第１の閾値（Ｖｔｈ１）に達した場合に、バイパススイッチ部５０に対して、ＤＣ／ＤＣコンバータ５１をバイパスさせる。また、バイパス制御部１１２は、太陽光発電装置４の出力電圧がさらに上昇し、上限値（Ｖｍａｘ）に達した場合に、バイパススイッチ部５０に対して、ＤＣ／ＤＣコンバータ５１のバイパスを停止させる。そのため、直流供給線Ｌ１には、波形Ｗ１に示しように、電圧範囲Ｒ１及び電圧範囲Ｒ３において、ＤＣ／ＤＣコンバータ５１によって変換された所定の出力電圧（３８０Ｖ）が出力され、第１の閾値（Ｖｔｈ１）から上限値（Ｖｍａｘ）までの電圧範囲Ｒ２２において、太陽光発電装置４の出力電圧が出力される。
【００４９】
また、例えば、バイパス制御部１１２は、太陽光発電装置４の出力電圧が低下し、第２の閾値（Ｖｔｈ２）に達した場合に、バイパススイッチ部５０に対して、ＤＣ／ＤＣコンバータ５１をバイパスさせる。また、バイパス制御部１１２は、太陽光発電装置４の出力電圧がさらに低下し、下限値（Ｖｍｉｎ）に達した場合に、バイパススイッチ部５０に対して、ＤＣ／ＤＣコンバータ５１のバイパスを停止させる。そのため、直流供給線Ｌ１には、波形Ｗ２に示しように、電圧範囲Ｒ１及び電圧範囲Ｒ３において、ＤＣ／ＤＣコンバータ５１によって変換された所定の出力電圧（３８０Ｖ）が出力され、下限値（Ｖｍｉｎ）から第２の閾値（Ｖｔｈ２）までの電圧範囲Ｒ２１において、太陽光発電装置４の出力電圧が出力される。
【００５０】
このように、本実施形態におけるバイパス制御では、バイパスさせる第１の閾値（Ｖｔｈ１）とバイパスを停止させる下限値（Ｖｍｉｎ）との間、又は、バイパスさせる第２の閾値（Ｖｔｈ２）とバイパスを停止させる上限値（Ｖｍａｘ）との間に所定の電圧差を設けている。なお、この所定の電圧差は、ノイズなどの外的要因に対するロバスト性を考慮して定められている。これにより、バイパス制御部１１２は、ノイズなどの外的要因に対するロバスト性を向上させることができる。
【００５１】
次に、本実施形態における直流給電システム１の動作について図面を参照して説明する。
ここでは、直流給電システム１（給電制御装置１００）のバイパス制御手順について図３を参照して説明する。
図３は、本実施形態におけるバイパス制御手順の一例を示すフローチャートである。
【００５２】
図３において、まず、制御部１１０のバイパス制御部１１２は、太陽光発電装置４の出力電圧Ｖ１を取得する（ステップＳ１０１）。すなわち、バイパス制御部１１２は、検出部３０１によって検出された太陽光発電装置４の出力電圧Ｖ１（第１の出力電圧）を取得する。
【００５３】
次に、バイパス制御部１１２は、取得した太陽光発電装置４の出力電圧Ｖ１の値に基づいて、分岐処理を実行する（ステップＳ１０２）。すなわち、バイパス制御部１１２は、取得した出力電圧Ｖ１と、記憶部１０２が記憶する設定情報（上述した「下限値（Ｖｍｉｎ）、上限値（Ｖｍａｘ）、第１の閾値（Ｖｔｈ１）、及び第２の閾値（Ｖｔｈ２）」とに基づいて、分岐処理を実行する。バイパス制御部１１２は、例えば、出力電圧Ｖ１が下限値（Ｖｍｉｎ）以下（Ｖ１≦下限値）である場合に、処理をステップＳ１０３に進め、バイパススイッチ部５０によるバイパスを解除させる（バイパスを停止させる）。すなわち、バイパス制御部１１２は、バイパススイッチ部５０を開状態（オフ状態）にさせて、ＤＣ／ＤＣコンバータ５１のバイパスを停止させる。
【００５４】
また、バイパス制御部１１２は、例えば、出力電圧Ｖ１が第１の閾値（Ｖｔｈ１）以上、且つ、第２の閾値（Ｖｔｈ２）以下（第１の閾値≦Ｖ１≦第２の閾値）である場合に、処理をステップＳ１０４に進め、バイパススイッチ部５０にバイパスさせる。すなわち、バイパス制御部１１２は、バイパススイッチ部５０を閉状態（オン状態）にさせて、ＤＣ／ＤＣコンバータ５１をバイパスさせる。
また、バイパス制御部１１２は、例えば、出力電圧Ｖ１が上限値（Ｖｍａｘ）以上（上限値≦Ｖ１）である場合に、処理をステップＳ１０５に進め、バイパススイッチ部５０によるバイパスを解除させる（バイパスを停止させる）。すなわち、バイパス制御部１１２は、バイパススイッチ部５０を開状態（オフ状態）にさせて、ＤＣ／ＤＣコンバータ５１のバイパスを停止させる。
【００５５】
また、バイパス制御部１１２は、例えば、出力電圧Ｖ１が上述の条件のいずれにも該当しないその他の場合に、処理をステップＳ１０１に戻す。
また、バイパス制御部１１２は、ステップＳ１０３からステップＳ１０５のいずれか１つの処理を実行した後、処理をステップＳ１０１に戻す。
【００５６】
このように、バイパス制御部１１２は、図３に示す処理を実行することにより、図２に示すようなバイパス制御を行う。
なお、上述の実施形態では、バイパス制御部１１２は、太陽光発電装置４の出力電圧Ｖ１を所定の時間間隔で取得する。そして、バイパス制御部１１２は、取得した出力電圧Ｖ１に基づいて（Ｖ１≦下限値）、（第１の閾値≦Ｖ１≦第２の閾値）、及び（上限値≦Ｖ１）の判定をただちに行っているが、これらの条件を所定の回数、又は、所定の期間、満たした場合に、それぞれの条件に対応する制御を行ってもよい。こうすることで、バイパス制御部１１２は、ノイズなどの外的要因に対するロバスト性をさらに向上させることができる。
【００５７】
以上説明したように、本実施形態における直流給電システム１は、整流装置３と、太陽光発電装置４（発電装置）と、ＤＣ／ＤＣコンバータ５１（変換器）と、バイパススイッチ部５０（スイッチ部）と、検出部３０１（第１電圧検出部）と、給電制御装置１００とを備えている。整流装置３は、商用電源系統２からの交流電力を直流電力に変換し、変換した直流電力を、直流供給線Ｌ１を介して負荷装置９０に供給する。太陽光発電装置４は、電力を発電し、発電した当該電力を直流電力として出力する。ＤＣ／ＤＣコンバータ５１は、太陽光発電装置４が出力する出力電圧（第１の出力電圧）を予め定められた所定の出力電圧（第２の出力電圧）に変換し、変換した第２の出力電圧を直流供給線Ｌ１に出力する。バイパススイッチ部５０は、太陽光発電装置４の出力線と直流供給線Ｌ１との間に接続され、太陽光発電装置４が出力する直流電力を、ＤＣ／ＤＣコンバータ５１をバイパスさせて直流供給線Ｌ１に供給する。検出部３０１は、太陽光発電装置４が出力する出力電圧（第１の出力電圧）を検出する。給電制御装置１００は、バイパススイッチ部５０の開閉状態を少なくとも制御し、制御部１１０のバイパス制御部１１２を備えている。そして、バイパス制御部１１２は、検出部３０１によって検出された太陽光発電装置４の出力電圧（第１の出力電圧）が、所定の電圧範囲内（例えば、電圧範囲Ｒ２内）にある場合に、バイパススイッチ部５０に対して、太陽光発電装置４が出力する直流電力を、ＤＣ／ＤＣコンバータ５１をバイパスさせて直流供給線Ｌ１に供給させる制御を行う。
【００５８】
これにより、太陽光発電装置４の出力の所定の電圧範囲内において、太陽光発電装置４の出力が、ＤＣ／ＤＣコンバータ５１を介さずに直流供給線Ｌ１に供給される。そのため、本実施形態における直流給電システム１は、上述の所定の電圧範囲内において、ＤＣ／ＤＣコンバータ５１の変換による損失が生じることなく直流供給線Ｌ１に電力を供給することができる。すなわち、本実施形態における直流給電システム１は、ＤＣ／ＤＣコンバータ５１の変換による電力の損失分を低減することができる。よって、本実施形態における直流給電システム１は、太陽光発電装置４（発電装置）が発電する電力を有効に利用することができる。
【００５９】
また、本実施形態では、上述の所定の電圧範囲（例えば、電圧範囲Ｒ２）は、ＤＣ／ＤＣコンバータ５１の出力電圧（第２の出力電圧）を含む電圧範囲であって、直流供給線Ｌ１を介して直流電力が供給される負荷装置９０の動作電圧範囲に基づいて定められた電圧範囲である。なお、負荷装置９０の動作電圧範囲に基づいて定められた電圧範囲とは、例えば、負荷装置９０の動作電圧範囲内の電圧範囲（例えば、３６０Ｖ〜４００Ｖ）である。バイパス制御部１１２は、太陽光発電装置４の出力電圧（第１の出力電圧）が所定の電圧範囲の下限値（Ｖｍｉｎ）よりも高い第１の閾値（Ｖｔｈ１）以上、且つ、所定の電圧範囲の上限値（Ｖｍａｘ）よりも低い第２の閾値（Ｖｔｈ２）以下になった場合に、バイパススイッチ部５０に対してＤＣ／ＤＣコンバータ５１をバイパスさせる制御を行う。また、バイパス制御部１１２は、太陽光発電装置４の出力電圧（第１の出力電圧）が下限値（Ｖｍｉｎ）以下、又は、上限値（Ｖｍａｘ）以上になった場合に、バイパススイッチ部５０に対してＤＣ／ＤＣコンバータ５１のバイパスを停止させる制御を行う。
なお、上述の所定の電圧範囲は、太陽光発電装置４の出力可能な電圧範囲のうちで、所定の電圧範囲より低い電圧範囲であって、ＤＣ／ＤＣコンバータ５１をバイパスさせない電圧範囲（図２の電圧範囲Ｒ１）と、所定の電圧範囲より高い電圧範囲であって、ＤＣ／ＤＣコンバータ５１をバイパスさせない電圧範囲（図２の電圧範囲Ｒ３）と、を有するように定められている。
【００６０】
これにより、負荷装置９０の動作電圧範囲に基づいて定められた所定の電圧範囲（例えば、負荷装置９０の動作電圧範囲内の３６０Ｖ〜４００Ｖ）において、ＤＣ／ＤＣコンバータ５１をバイパスさせた太陽光発電装置４の出力電圧（第１の出力電圧）が直流供給線Ｌ１に出力される。そして、所定の電圧範囲外において、ＤＣ／ＤＣコンバータ５１の出力電圧（第２の出力電圧）が直流供給線Ｌ１に出力される。そのため、直流供給線Ｌ１には、太陽光発電装置４からの電力が、負荷装置９０の動作電圧範囲内の電圧により供給される。よって、本実施形態における直流給電システム１は、負荷装置９０を正常に動作させつつ、ＤＣ／ＤＣコンバータ５１の変換による電力の損失分を低減することができる。
【００６１】
また、本実施形態では、バイパス制御部１１２は、バイパススイッチ部５０に対して、太陽光発電装置４が出力する直流電力を、ＤＣ／ＤＣコンバータ５１をバイパスさせて直流供給線Ｌ１に供給させる際に、ＤＣ／ＤＣコンバータ５１に対して、所定の出力電圧（第２の出力電圧）の出力を停止させる。
これにより、本実施形態における直流給電システム１は、ＤＣ／ＤＣコンバータ５１をバイパスさせて直流供給線Ｌ１に供給させる際に、ＤＣ／ＤＣコンバータ５１が動作することによる消費電力を低減することができる。
【００６２】
また、本実施形態における直流給電システム１は、電力を充放電する蓄電装置６と、直流供給線Ｌ１に接続される双方向ＤＣ／ＤＣコンバータ７（双方向変換器）とを備えている。双方向ＤＣ／ＤＣコンバータ７は、直流供給線Ｌ１から供給される電力を蓄電装置６に充電させるとともに、蓄電装置６から直流供給線Ｌ１に電力を放電させる。
これにより、本実施形態における直流給電システム１は、整流装置３の停電時において蓄電装置６から負荷装置９０に電力を供給することができる。
【００６３】
なお、本実施形態によれば、給電制御装置１００は、直流給電システム１における給電制御装置であって、バイパス制御部１１２を備えている。ここで、直流給電システム１は、整流装置３によって変換した直流電力を、直流供給線Ｌ１を介して負荷装置９０に供給するとともに、太陽光発電装置４が出力する第１の出力電圧を予め定められた第２の出力電圧に変換するＤＣ／ＤＣコンバータ５１によって変換された第２の出力電圧を直流供給線Ｌ１に出力する。そして、バイパス制御部１１２は、バイパススイッチ部５０の開閉状態を少なくとも制御し、検出部３０１によって検出された太陽光発電装置４の出力電圧（第１の出力電圧）が所定の電圧範囲内にある場合に、バイパススイッチ部５０に対して、太陽光発電装置４が出力する直流電力を、ＤＣ／ＤＣコンバータ５１をバイパスさせて直流供給線Ｌ１に供給させる制御を行う。ここで、ＤＣ／ＤＣコンバータ５１は、太陽光発電装置４の出力線と直流供給線Ｌ１との間に接続され、太陽光発電装置４が出力する直流電力を、ＤＣ／ＤＣコンバータ５１をバイパスさせて直流供給線Ｌ１に供給する。
これにより、本実施形態における給電制御装置１００は、直流給電システム１と同様に、ＤＣ／ＤＣコンバータ５１の変換による電力の損失分を低減することができる。よって、本実施形態における給電制御装置１００は、太陽光発電装置４（発電装置）が発電する電力を有効に利用することができる。
【００６４】
また、本実施形態による給電制御方法は、上述した直流給電システム１における給電制御方法であって、バイパススイッチ部５０の開閉状態を、給電制御装置１００が少なくとも制御する給電制御ステップを含む。そして、給電制御方法は、給電制御ステップにおいて、検出部３０１によって検出された太陽光発電装置４の出力電圧（第１の出力電圧）が所定の電圧範囲内にある場合に、バイパススイッチ部５０に対して、太陽光発電装置４が出力する直流電力を、ＤＣ／ＤＣコンバータ５１をバイパスさせて直流供給線Ｌ１に供給させる制御をバイパス制御部１１２が行う制御ステップを含む。
これにより、本実施形態における給電制御方法は、直流給電システム１及び給電制御装置１００と同様に、ＤＣ／ＤＣコンバータ５１の変換による電力の損失分を低減することができる。よって、本実施形態における給電制御方法は、太陽光発電装置４（発電装置）が発電する電力を有効に利用することができる。
【００６５】
［第２の実施形態］
次に、第２の実施形態における直流給電システム１について図面を参照して説明する。
第１の実施形態では、バイパス制御を常に実行する場合について説明したが、本実施形態では、整流装置３の停電時において、このバイパス制御を実行する場合の一例を説明する。
【００６６】
本実施形態における直流給電システム１の構成は、図１に示す第１の実施形態における直流給電システム１の構成と同一であるので、ここではその説明を省略する。
なお、整流装置３の停電時には、太陽光発電装置４及び蓄電装置６からの電力により、負荷装置９０を動作させる必要があるため、太陽光発電装置４が発電する電力を通常時に比べて有効に利用する必要がある。そこで、本実施形態におけるバイパス制御部１１２は、整流装置３から直流供給線Ｌ１への給電が停止した場合、且つ、太陽光発電装置４の出力電圧（第１の出力電圧）が所定の電圧範囲内にある場合に、バイパススイッチ部５０に対して、太陽光発電装置４が出力する直流電力を、ＤＣ／ＤＣコンバータ５１をバイパスさせて直流供給線Ｌ１に供給させる。
【００６７】
本実施形態では、例えば、記憶部１０２に設けたフラグによるバイパス制御モードが設けられている。起動制御部１１１は、整流装置３から直流供給線Ｌ１への給電が停止した場合に、上述したフラグによりバイパス制御モードに設定する。バイパス制御部１１２は、バイパス制御モードである場合に、太陽光発電装置４の出力電圧（第１の出力電圧）に基づくバイパススイッチ部５０の開閉状態を制御する。
【００６８】
次に、本実施形態における直流給電システム１の動作について図面を参照して説明する。
本実施形態では、バイパス制御の処理手順（バイパス制御手順）が、第１の実施形態と異なるので、ここでは、バイパス制御の処理手順について図４及び図５を参照して説明する。
【００６９】
まず、図４を参照して、本実施形態におけるバイパス制御部１１２による所定の電圧範囲内に基づくバイパス制御の処理の一例について説明する。
図４は、本実施形態におけるバイパス制御手順の一例を示す第１のフローチャートである。
この図において、バイパス制御部１１２は、まず、バイパス制御モードであるか否かを判定する（ステップＳ２０１）。すなわち、バイパス制御部１１２は、記憶部１０２のフラグを参照して、バイパス制御モードであるか否かを判定する。バイパス制御部１１２は、バイパス制御モードであると判定した場合（ステップＳ２０１：ＹＥＳ）に、処理をステップＳ２０２に進める。また、バイパス制御部１１２は、バイパス制御モードでないと判定した場合（ステップＳ２０１：ＮＯ）に、ステップＳ２０１の処理を繰り返す。つまり、バイパス制御部１１２は、バイパス制御モードが設定されるまで、ステップＳ２０１の処理を繰り返す。
【００７０】
なお、ステップＳ２０２からステップＳ２０６までの処理は、図３に示すステップＳ１０１からステップＳ１０５までの処理と同様であるので、ここではその説明を省略する。
このように、本実施形態におけるバイパス制御部１１２は、バイパス制御モードである場合に、バイパススイッチ部５０の開閉状態を変更する制御を行う。なお、本実施形態において、バイパス制御によるＤＣ／ＤＣコンバータ５１の入力側の電圧（太陽光発電装置４の出力電圧）と、ＤＣ／ＤＣコンバータ５１の出力側の電圧（直流供給線Ｌ１の電圧）との関係は、図２に示す第１の実施形態と同様である。
【００７１】
次に、図５を参照して、本実施形態における起動制御部１１１によるバイパス制御モードに設定する処理の一例について説明する。
図５は、本実施形態におけるバイパス制御手順の一例を示す第２のフローチャートである。
この図において、起動制御部１１１は、まず、整流装置３が給電不可能状態であるか否かを判定する（ステップＳ３０１）。すなわち、起動制御部１１１は、整流装置３から出力された信号Ｓｐｆに基づいて、整流装置３から直流供給線Ｌ１（直流給電母線）への給電が停止したか否かを判定する。起動制御部１１１は、整流装置３が給電不可能状態（給電が停止した状態）である場合（ステップＳ３０１：ＹＥＳ）に、処理をステップＳ３０２に進める。また、起動制御部１１１は、整流装置３が給電不可能状態でない場合（ステップＳ３０１：ＮＯ）に、処理をステップＳ３０１に戻す。
【００７２】
次に、ステップＳ３０２において、起動制御部１１１は、直流給電母線の電圧（直流供給線Ｌ１の電圧）を取得する。すなわち、起動制御部１１１は、検出部３０２によって検出された直流供給線Ｌ１の電圧を取得する。
なお、給電制御部１１３は、整流装置３が給電不可能状態である場合に、双方向ＤＣ／ＤＣコンバータ７に対して蓄電装置６から直流供給線Ｌ１に電力を供給させる。
【００７３】
次に、起動制御部１１１は、直流給電母線の電圧（直流供給線Ｌ１の電圧）が負荷装置９０の動作範囲外か否かを判定する（ステップＳ３０３）。起動制御部１１１は、取得した直流供給線Ｌ１の電圧が低下して、負荷装置９０の動作範囲外（例えば、０Ｖ）になったか否か判定する。起動制御部１１１は、直流供給線Ｌ１の電圧が動作範囲外である場合（ステップＳ３０３：ＹＥＳ）に、処理をステップＳ３０４に進める。また、起動制御部１１１は、直流供給線Ｌ１の電圧が動作範囲内である場合（ステップＳ３０３：ＮＯ）に、処理をステップＳ３０９に進める。
【００７４】
次に、ステップＳ３０４において、起動制御部１１１は、ＰＣＳ５を停止させる。すなわち、起動制御部１１１は、ＰＣＳ５に対して、ＰＣＳ５を停止させる制御信号を送信し、ＰＣＳ５のＰＣＳ制御部５２がＤＣ／ＤＣコンバータ５１の動作を停止させる。これにより、ＤＣ／ＤＣコンバータ５１は所定の出力電圧（第２の出力電圧）の出力を停止する。
【００７５】
次に、起動制御部１１１は、ＰＣＳ５を直流給電母線（直流供給線Ｌ１）から切り離す（ステップＳ３０５）。すなわち、起動制御部１１１は、給電制御部１１３を介して。スイッチ部２０１を開状態（オフ状態）にさせて、ＰＣＳ５を解列させる。
【００７６】
次に、起動制御部１１１は、太陽光発電装置４が出力可能な状態であるか否かを判定する（ステップＳ３０６）。起動制御部１１１は、例えば、ＰＣＳ制御部５２から出力される、太陽光発電装置４から出力可能な電力が、「所定値以上の電力であるか否かの情報」に基づいて、太陽光発電装置４が出力可能な状態であるか否かを判定する。なお、起動制御部１１１は、検出部３０１によって検出された太陽光発電装置４が出力電圧に基づいて、太陽光発電装置４が出力可能な状態であるか否かを判定してもよい。起動制御部１１１は、太陽光発電装置４が出力可能な状態である場合（ステップＳ３０６：ＹＥＳ）に、処理をステップＳ３０７に進める。また、起動制御部１１１は、太陽光発電装置４が出力可能な状態でない場合（ステップＳ３０６：ＮＯ）に、処理をステップＳ３１０に進める。
【００７７】
ステップＳ３０７において、起動制御部１１１は、ＰＣＳ５を起動する。すなわち、起動制御部１１１は、ＰＣＳ５に対して、ＰＣＳ５を起動させる制御信号を送信し、ＰＣＳ５のＰＣＳ制御部５２がＤＣ／ＤＣコンバータ５１の動作を再開させる。これにより、ＤＣ／ＤＣコンバータ５１は所定の出力電圧（第２の出力電圧）の出力を再び開始する。
なお、ここでは、ＤＣ／ＤＣコンバータ５１から電力を出力させることを可能にする動作電圧が整流装置３及び蓄電装置６からＤＣ／ＤＣコンバータ５１に供給されない状態である。そのため、起動制御部１１１は、ＤＣ／ＤＣコンバータ５１に蓄電池１０１から動作電圧を供給してＤＣ／ＤＣコンバータ５１を起動させる。
【００７８】
次に、起動制御部１１１は、ＰＣＳ５を直流給電母線（直流供給線Ｌ１）に接続する（ステップＳ３０８）。すなわち、起動制御部１１１は、給電制御部１１３を介して。スイッチ部２０１を閉状態（オン状態）にさせて、ＰＣＳ５を並列させる。
【００７９】
次に、ステップＳ３０９において、起動制御部１１１は、バイパス制御モードに設定する。すなわち、起動制御部１１１は、記憶部１０２に設けたフラグによりバイパス制御モードに設定する。
【００８０】
次に、ステップＳ３１０において、整流装置３が給電可能状態であるか否かを判定する。すなわち、起動制御部１１１は、整流装置３から出力された信号Ｓｐｆに基づいて、整流装置３から直流供給線Ｌ１（直流給電母線）への給電を再開したか否かを判定する。起動制御部１１１は、整流装置３が給電可能状態（給電を再開した状態）である場合（ステップＳ３１０：ＹＥＳ）に、処理をステップＳ３１１に進める。また、起動制御部１１１は、整流装置３が給電可能状態でない場合（ステップＳ３１０：ＮＯ）に、処理をステップＳ３０２に戻す。
【００８１】
次に、起動制御部１１１は、バイパス制御モードを解除する（ステップＳ３１１）。すなわち、起動制御部１１１は、記憶部１０２に設けたフラグによりバイパス制御モードを解除する。
これにより、ステップＳ３０９からステップＳ３１１までの期間において、図４のステップＳ２０２からステップＳ２０６までのバイパススイッチ部５０の開閉状態を変更する制御が実行される。すなわち、バイパス制御部１１２は、整流装置３から直流供給線Ｌ１への給電が停止した場合、且つ、太陽光発電装置４の出力電圧（第１の出力電圧）が所定の電圧範囲内にある場合に、バイパススイッチ部５０に対して、太陽光発電装置４が出力する直流電力を、ＤＣ／ＤＣコンバータ５１をバイパスさせて直流供給線Ｌ１に供給させる。
なお、ステップＳ３０９からステップＳ３１１までの期間において、給電制御部１１３の制御によって、負荷装置９０（９１〜９３）の給電範囲が変更されてもよい。
【００８２】
次に、起動制御部１１１は、直流給電システム１の再起動処理を行う（ステップＳ３１２）。起動制御部１１１は、例えば、ＰＣＳ５の起動処理、ＰＣＳ５を直流供給線Ｌ１（直流給電母線）に接続する処理、蓄電装置６の充放電の制御処理などを行い、直流給電システム１の再起動処理を行う。起動制御部１１１は、ステップＳ３１２における処理後に処理を終了する。
【００８３】
以上説明したように、本実施形態におけるバイパス制御部１１２は、整流装置３から直流供給線Ｌ１への給電が停止した場合、且つ、太陽光発電装置４の出力電圧（第１の出力電圧）が所定の電圧範囲内にある場合に、バイパススイッチ部５０に対して、太陽光発電装置４が出力する直流電力を、ＤＣ／ＤＣコンバータ５１をバイパスさせて直流供給線Ｌ１に供給させる。
これにより、本実施形態における直流給電システム１は、例えば、整流装置３の停電時において、ＤＣ／ＤＣコンバータ５１の変換による電力の損失分を低減することができる。よって、本実施形態における直流給電システム１は、例えば、整流装置３の停電時において、太陽光発電装置４が発電する電力を有効に利用することができる。
【００８４】
また、本実施形態では、給電制御装置１００は、起動制御部１１１を備えている。ＤＣ／ＤＣコンバータ５１は、整流装置３から直流供給線Ｌ１への給電が停止した場合に、所定の出力電圧（第２の出力電圧）の出力を停止する。起動制御部１１１は、ＤＣ／ＤＣコンバータ５１が所定の出力電圧（第２の出力電圧）の出力を停止した停止状態になり、ＤＣ／ＤＣコンバータ５１から電力を出力させることを可能にする動作電圧が直流供給線Ｌ１からＤＣ／ＤＣコンバータ５１（ＰＣＢ５）に供給されない場合に、ＤＣ／ＤＣコンバータ５１に動作電圧を供給してＤＣ／ＤＣコンバータ５１（ＰＣＢ５）を起動させる。
これにより、本実施形態における直流給電システム１は、例えば、整流装置３及び蓄電装置６から直流供給線Ｌ１に電力が供給されていない場合であっても、ＤＣ／ＤＣコンバータ５１（ＰＣＢ５）を起動させて、太陽光発電装置４から負荷装置９０に電力を供給することができる。
【００８５】
［第３の実施形態］
次に、第３の実施形態における直流給電システム１について図面を参照して説明する。
本実施形態では、整流装置３の停電時において、バイパス制御を実行する場合の別の一例を説明する。
第２の実施形態では、整流装置３の停電時において、蓄電装置６から直流供給線Ｌ１に電力が供給されている間には、ＰＣＳ５を停止せずに太陽光発電装置４が発電する電力を利用するようにした。これに対して、本実施形態では、整流装置３の停電時において、蓄電装置６からの電力の供給が停止した後に、太陽光発電装置４が発電する電力を利用する場合の一例について説明する。
【００８６】
本実施形態における直流給電システム１の構成は、図１に示す第１の実施形態における直流給電システム１の構成と同一であるので、ここではその説明を省略する。
本実施形態では、起動制御部１１１は、整流装置３から直流供給線Ｌ１への給電が停止した場合に、ＤＣ／ＤＣコンバータ５１の出力を停止する。さらに、起動制御部１１１は、直流供給線Ｌ１の電圧が負荷装置９０の動作範囲外（例えば、０Ｖ）になった場合、且つ、太陽光発電装置４が電力を出力可能な場合に、ＰＣＳ５を再起動させる。
【００８７】
次に、本実施形態における直流給電システム１の動作について図面を参照して説明する。
なお、本実施形態におけるバイパス制御部１１２による所定の電圧範囲内に基づくバイパス制御の処理は、図４に示す第２の実施形態と同様であるので、ここではその説明を省略する。
【００８８】
次に、本実施形態における起動制御部１１１によるバイパス制御モードに設定する処理の一例について説明する。
図６は、本実施形態におけるバイパス制御手順の一例を示すフローチャートである。
この図において、起動制御部１１１は、まず、整流装置３が給電不可能状態であるか否かを判定する（ステップＳ４０１）。なお、このステップＳ４０１の処理は、図５に示すステップＳ３０１の処理と同様である。起動制御部１１１は、整流装置３が給電不可能状態である場合（ステップＳ４０１：ＹＥＳ）に、処理をステップＳ４０２に進める。また、起動制御部１１１は、整流装置３が給電不可能状態でない場合（ステップＳ４０１：ＮＯ）に、処理をステップＳ４０１に戻す。
【００８９】
また、ステップＳ４０２において、起動制御部１１１は、ＰＣＳ５を停止させるとともに、ステップＳ４０３において、ＰＣＳ５を直流給電母線（直流供給線Ｌ１）から切り離す。
次に、起動制御部１１１は、直流給電母線（直流供給線Ｌ１）の電圧を取得し（ステップＳ４０４）、次に、起動制御部１１１は、直流給電母線の電圧（直流供給線Ｌ１の電圧）が負荷装置９０の動作範囲外か否かを判定する（ステップＳ４０５）。起動制御部１１１は、直流供給線Ｌ１の電圧が動作範囲外である場合（ステップＳ４０５：ＹＥＳ）に、処理をステップＳ４０６に進める。また、起動制御部１１１は、直流供給線Ｌ１の電圧が動作範囲内である場合（ステップＳ４０５：ＮＯ）に、処理をステップＳ４０４に戻す。
【００９０】
続く、ステップＳ４０６からステップＳ４１２の処理は、図５に示すステップＳ３０６からステップＳ３１２の処理と同様であるので、ここではその説明を省略する。
【００９１】
以上説明したように、本実施形態においても第２の実施形態と同様に、バイパス制御部１１２は、整流装置３から直流供給線Ｌ１への給電が停止した場合、且つ、太陽光発電装置４の出力電圧（第１の出力電圧）が所定の電圧範囲内にある場合に、バイパススイッチ部５０に対して、太陽光発電装置４が出力する直流電力を、ＤＣ／ＤＣコンバータ５１をバイパスさせて直流供給線Ｌ１に供給させる。
これにより、本実施形態における直流給電システム１は、第２の実施形態と同様の効果を奏する。
【００９２】
［第４の実施形態］
次に、第４の実施形態における直流給電システム１について図面を参照して説明する。
本実施形態では、整流装置３の停電時において、バイパス制御を実行する場合の別の一例について説明する。なお、本実施形態では、給電制御装置１００が、検出部３０２によって検出した直流供給線Ｌ１に基づいて、整流装置３から直流供給線Ｌ１への給電が停止したこと判定する場合について説明する。
【００９３】
本実施形態における直流給電システム１の構成は、図１に示す第１の実施形態における直流給電システム１の構成と同一であるので、ここではその説明を省略する。
なお、本実施形態におけるバイパス制御部１１２による所定の電圧範囲内に基づくバイパス制御の処理は、図４に示す第２の実施形態と同様であるので、ここではその説明を省略する。
【００９４】
ここでは、本実施形態における起動制御部１１１によるバイパス制御モードに設定する処理の一例について説明する。
図７は、本実施形態におけるバイパス制御手順の一例を示すフローチャートである。
この図において、起動制御部１１１は、まず、直流給電母線（直流供給線Ｌ１）の電圧を取得する（ステップＳ５０１）。すなわち、起動制御部１１１は、検出部３０２によって検出された直流供給線Ｌ１の電圧を取得する。
【００９５】
次に、起動制御部１１１は、直流給電母線（直流供給線Ｌ１）の電圧が負荷装置９０の動作範囲外か否かを判定する（ステップＳ５０２）。起動制御部１１１は、直流供給線Ｌ１の電圧が動作範囲外である場合（ステップＳ５０２：ＹＥＳ）に、処理をステップＳ５０３に進める。また、起動制御部１１１は、直流供給線Ｌ１の電圧が動作範囲内である場合（ステップＳ５０２：ＮＯ）に、処理をステップＳ５０１に戻す。
このように、本実施形態では、起動制御部１１１は、検出部３０２によって検出した直流供給線Ｌ１に基づいて、整流装置３から直流供給線Ｌ１への給電が停止したこと判定する。
【００９６】
続く、ステップＳ５０３からステップＳ５１１の処理は、図５に示すステップＳ３０４からステップＳ３１２の処理と同様であるので、ここではその説明を省略する。
【００９７】
以上説明したように、本実施形態における直流給電システム１は、直流供給線Ｌ１の電圧を検出する検出部３０２を備えている。ＤＣ／ＤＣコンバータ５１は、整流装置３から直流供給線Ｌ１への給電が停止した場合に、所定の出力電圧（第２の出力電圧）の出力を停止する。そして、給電制御装置１００は、検出部３０２によって検出された直流供給線Ｌ１の電圧に基づいて、整流装置３から直流供給線Ｌ１への給電が停止したことを判定する。
これにより、給電制御装置１００は、例えば、整流装置３に異常が生じて、整流装置３が信号Ｓｐｆを正常に出力できない場合であっても、整流装置３から直流供給線Ｌ１への給電が停止したことを判定することができる。
【００９８】
［第５の実施形態］
次に、第５の実施形態における直流給電システム１ａについて図面を参照して説明する。
本実施形態では、気象情報（例えば、天気などの天候情報）と、太陽光発電装置４の出力電圧（第１の出力電圧）が所定の電圧範囲内にあるか否かの判定結果とに基づいて、バイパス制御を実行する場合の別の一例について説明する。
【００９９】
図８は、本実施形態による直流給電システム１ａの一例を示すブロック図である。
この図において、直流給電システム１ａは、整流装置３、太陽光発電装置４、ＰＣＳ５、蓄電装置６、双方向ＤＣ／ＤＣコンバータ７、分電盤８、バイパススイッチ部５０、給電制御装置１００ａ、スイッチ部２００（２０１〜２０４）、及び検出部（３０１、３０２）を備えている。
また、給電制御装置１００ａは、蓄電池１０１、記憶部１０２、及び制御部１１０ａを備え、制御部１１０ａは、起動制御部１１１、バイパス制御部１１２、給電制御部１１３、及び天候予測部１１４を備えている。
【０１００】
なお、太陽光発電装置４は、気象条件（例えば、天気などの天候）により発電量が変動する。例えば、天候が曇り又は雨である場合の太陽光発電装置４の発電量は、晴天である場合の太陽光発電装置４の発電量に比べて低下することが考えられる。そのため、天候が曇り又は雨である場合には、晴天である場合に比べて、太陽光発電装置４が発電する電力を通常時に比べて有効に利用する必要がある。そこで、給電制御装置１００ａは、太陽光発電装置４が設置されている場所の気象を予測した気象情報を取得し、取得した気象情報と、太陽光発電装置４の出力電圧（第１の出力電圧）が所定の電圧範囲内にあるか否かの判定結果とに基づいて、バイパス制御を実行する。
【０１０１】
また、この図において、図１に示す構成と同一の構成については同一の符号を付し、その説明を省略する。以下、図１と異なる構成について説明する。
【０１０２】
天候予測部１１４は、太陽光発電装置４が設置されている場所の気象（例えば、天気などの天候）を予測する。天候予測部１１４は、例えば、検出部３０１が検出した検出情報に基づく太陽光発電装置４の出力電力を取得する。なお、記憶部１０２には、例えば、過去の出力電力の変化と、天候情報（気象情報の一例）とが対応付けられて予め記憶されている。天候予測部１１４は、取得した太陽光発電装置４の出力電力の変化と、過去の出力電力の変化とに基づいて天候を予測する。
【０１０３】
バイパス制御部１１２は、天候予測部１１４が予測した天候情報（気象情報）を取得する。そして、バイパス制御部１１２は、取得した天候情報と、太陽光発電装置４の出力電圧（第１の出力電圧）が所定の電圧範囲内にあるか否かの判定結果とに基づいて、バイパススイッチ部５０に対して、太陽光発電装置４が出力する直流電力を、ＤＣ／ＤＣコンバータ５１をバイパスさせて直流供給線Ｌ１に供給させる制御を行う。
バイパス制御部１１２は、例えば、天候情報に基づいて推定される太陽光発電装置４の発電量が、所定の発電量以下である場合、且つ、第１の出力電圧が所定の電圧範囲内にある場合に、バイパススイッチ部５０に対して、太陽光発電装置４が出力する直流電力を、ＤＣ／ＤＣコンバータ５１をバイパスさせて直流供給線Ｌ１に供給させる。
【０１０４】
具体的に、バイパス制御部１１２は、推定される太陽光発電装置４の発電量が、所定の発電量以下である場合に、上述したフラグによりバイパス制御モードに設定する。バイパス制御部１１２は、バイパス制御モードである場合に、太陽光発電装置４の出力電圧（第１の出力電圧）に基づくバイパススイッチ部５０の開閉状態を制御する。
ここで、所定の発電量は、天候が曇りや雨の場合に、バイパス制御を行うように定められている。この所定の発電量は、例えば、曇りの場合の電力量である。
【０１０５】
次に、本実施形態における直流給電システム１ａの動作について図面を参照して説明する。
なお、本実施形態におけるバイパス制御部１１２による所定の電圧範囲内に基づくバイパス制御処理は、図４に示す第２の実施形態と同様であるので、ここではその説明を省略する。
【０１０６】
次に、本実施形態における天候情報に基づいて、バイパス制御モードに設定する処理の一例について説明する。
図９は、本実施形態におけるバイパス制御手順の一例を示すフローチャートである。
この図において、まず、制御部１１０ａの天候予測部１１４が天候情報を予測する（ステップＳ６０１）。すなわち、天候予測部１１４は、例えば、検出部３０１が検出した検出情報に基づいて、太陽光発電装置４が設置されている場所の天候を予測する。
【０１０７】
次に、バイパス制御部１１２は、予測した天候情報に基づいて発電量を推定する（ステップＳ６０２）。すなわち、バイパス制御部１１２は、天候予測部１１４から天候情報を取得し、取得した天候情報に基づいて、太陽光発電装置４の発電量を推定する。
【０１０８】
次に、バイパス制御部１１２は、推定した発電量が所定の発電量以下であるか否かを判定する（ステップＳ６０３）。バイパス制御部１１２は、推定した発電量が所定の発電量以下である場合（ステップＳ６０３：ＹＥＳ）に、処理をステップＳ６０４に進める。また、バイパス制御部１１２は、推定した発電量が所定の発電量より大きい場合（ステップＳ６０３：ＮＯ）に、処理をステップＳ６０５に進める。
【０１０９】
ステップＳ６０４において、バイパス制御部１１２は、バイパス制御モードに設定し、処理を終了する。
また、ステップＳ６０５において、バイパス制御部１１２は、バイパス制御モードを解除し、処理を終了する。
【０１１０】
これにより、曇りや雨などの発電量が少ないと推定される場合に、バイパス制御部１１２は、バイパス制御を有効にし、晴天などの発電量が十分にあると推定される場合に、バイパス制御部１１２は、バイパス制御を無効にする。
【０１１１】
以上説明したように、本実施形態における直流給電システム１ａでは、太陽光発電装置４は、自然エネルギーを利用して発電する発電装置である。そして、バイパス制御部１１２は、太陽光発電装置４が設置されている場所の気象を予測した気象情報（例えば、天候情報）を天候予測部１１４から取得する。バイパス制御部１１２は、取得した気象情報と、太陽光発電装置４の出力電圧が所定の電圧範囲内にあるか否かの判定結果とに基づいて、バイパススイッチ部５０に対して、太陽光発電装置４が出力する直流電力を、ＤＣ／ＤＣコンバータ５１をバイパスさせて直流供給線Ｌ１に供給させる制御を行う。
これにより、本実施形態における直流給電システム１ａは、例えば、天候が悪い場合などの太陽光発電装置４の発電量が少ない場合に、太陽光発電装置４が発電する電力を有効に利用することができる。
【０１１２】
また、本実施形態では、バイパス制御部１１２は、気象情報に基づいて推定される太陽光発電装置４の発電量が、所定の発電量以下である場合、且つ、太陽光発電装置４の出力電圧が所定の電圧範囲内にある場合に、バイパススイッチ部５０に対して、太陽光発電装置４が出力する直流電力を、ＤＣ／ＤＣコンバータ５１をバイパスさせて直流供給線Ｌ１に供給させる。
これにより、本実施形態における直流給電システム１ａは、太陽光発電装置４の発電量が少ない場合に、太陽光発電装置４が発電する電力を有効に利用することができる。
【０１１３】
なお、上述の実施形態では、発電量の変化に基づいて、天候を予測する場合について説明したが、これに限定されるものではない。例えば、天候予測部１１４は、太陽光発電装置４の周辺に設置された日射計や雨量計などの測定情報に基づいて、天候を予測してもよい。
また、バイパス制御部１１２は、推定した発電量に基づいてバイパス制御モードの設定を制御する場合について説明したが、晴れや曇りなどを示す天気情報に応じてバイパス制御モードの設定を制御してもよい。また、バイパス制御部１１２は、天候情報を外部から取得してもよい。例えば、給電制御装置１００ａが通信機能を備え、ネットワークと接続可能であるなら、天気予報や気象情報などの情報を、ネットワークを介して取得してもよい。
【０１１４】
また、上述の実施形態では、自然エネルギーを利用した発電装置の一例として、太陽光発電装置４を備える場合について説明したが、他の発電装置であってもよい。例えば、発電装置は、風力発電装置であってもよい。この場合、気象情報は、風力発電装置が設置されている場所の風力量となる。また、発電装置は、例えば、波力や潮力などを利用して発電する装置であってもよい。
【０１１５】
なお、本発明は、上記の各実施形態に限定されるものではなく、本発明の趣旨を逸脱しない範囲で変更可能である。
例えば、上記の各実施形態は、単独で実施する場合について説明したが、各実施形態を組み合わせて実施してもよい。
また、上記の各実施形態において、直流給電システム１（１ａ）は、蓄電装置６及び双方向ＤＣ／ＤＣコンバータ７を備える構成について説明したが、蓄電装置６及び双方向ＤＣ／ＤＣコンバータ７を備えない構成であってもよい。また、双方向ＤＣ／ＤＣコンバータ７は、内部に開閉器を備え、直流供給線Ｌ１と蓄電装置６とを切り離す（解列）ことが可能な構成として説明したが、直流供給線Ｌ１と双方向ＤＣ／ＤＣコンバータ７との間に、スイッチ部２００を備える構成でもよい。
【０１１６】
また、上記の各実施形態において、整流装置３は、商用電源系統２から直接交流電力が供給される場合について説明したが、整流装置３は、変圧器を含む受電設備を介して交流電力が供給されてもよい。
また、上記の各実施形態において、分電盤８及びスイッチ部２００を介して負荷装置９０に電力を供給する場合について説明したが、分電盤８及び（又は）スイッチ部２００を介さずに負荷装置９０に電力を供給してもよい。
また、上記の各実施形態において、バイパススイッチ部５０及び給電制御装置１００（１００ａ）は、ＰＣＳ５の外部に備える場合について説明したが、バイパススイッチ部５０及び（又は）給電制御装置１００（１００ａ）をＰＣＳ５が備える形態でもよい。
【０１１７】
また、上述の実施形態では、太陽光発電装置４の発電量が通常時よりも低下する場合に、バイパス制御を行う例として、整流装置３の停電時と、気象情報（例えば、天候情報）基づく場合とを説明したが、これに限定されるものではない。例えば、特定の時間帯（例えば、夕方の時間帯）に、太陽光発電装置４の発電量が低下することを推定できる場合には、バイパス制御部１１２は、時刻情報に基づいて、バイパス制御を行うようにしてもよい。また、季節によって一日の日照時間が異なることから、バイパス制御部１１２は、例えば、季節を示す季節情報に応じて、バイパス制御を行うようにしてもよい。
【０１１８】
なお、本発明における直流給電システム１（１ａ）が備える各構成の機能を実現するためのプログラムをコンピュータ読み取り可能な記録媒体に記録して、この記録媒体に記録されたプログラムをコンピュータシステムに読み込ませ、実行することにより上述した直流給電システム１（１ａ）が備える各構成における処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。
また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。
【０１１９】
また、記録媒体には、当該プログラムを配信するために配信サーバからアクセス可能な内部または外部に設けられた記録媒体も含まれる。なお、プログラムを複数に分割し、それぞれ異なるタイミングでダウンロードした後に直流給電システム１（１ａ）が備える各構成で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【０１２０】
また、上述した機能の一部または全部を、ＬＳＩ（Large Scale Integration）等の集積回路として実現してもよい。上述した各機能は個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【０１２１】
１、１ａ  直流給電システム
２  商用電源系統
３  整流装置
４  太陽光発電装置
５  パワーコンディショナ（ＰＣＳ）
６  蓄電装置
７  双方向ＤＣ／ＤＣコンバータ
８  分電盤
３１、３０１、３０２  検出部
３２、２００、２０１、２０２、２０３、２０４  スイッチ部
３３  直流電源部
３４  電源制御部
４１  太陽電池アレイ
５０  バイパススイッチ部
５１  ＤＣ／ＤＣコンバータ
５２  ＰＣＳ制御部
９０、９１、９２、９３  負荷装置
１００、１００ａ  給電制御装置
１０１  蓄電池
１０２  記憶部
１１０、１１０ａ  制御部
１１１  起動制御部
１１２  バイパス制御部
１１３  給電制御部
１１４  天候予測部
【図１】
2015164377.tif 000003
【図２】
2015164377.tif 000004
【図３】
2015164377.tif 000005
【図４】
2015164377.tif 000006
【図５】
2015164377.tif 000007
【図６】
2015164377.tif 000008
【図７】
2015164377.tif 000009
【図８】
2015164377.tif 000010
【図９】
2015164377.tif 000011